【事件の表示】
　平成　６年特許願第２０６９６０号「信号処理装置及び信号処理方法」拒絶査定不服審判事件〔平成　８年　３月２２日出願公開、特開平　８−　７９７１３、請求項の数（６）〕について、次のとおり審決する。
【結　論】
　原査定を取り消す。
　本願の発明は、特許すべきものとする。
【理　由】
１．経緯
（１）手続き
　本願は、平成６年８月３１日の出願である。
　
（２）査定
　原査定の理由は、概略、下記のとおりである。
　
　　　　　　　　　記（査定の理由）
　本願の請求項１ないし請求項６に係る発明は、下記刊行物に記載された発明に基づいて当業者が容易に発明をすることができたものものであるから、特許法第２９条第２項の規定により、特許を受けることができない。
　　　　　　　　　記
　刊行物１：特開平５−３２８１８５号公報
　刊行物２：特開平３−２０９９８８号公報
　刊行物３：特開平６−４６３９４号公報
　刊行物４：特開平６−８６２４９号公報
　
２．本願発明
　本願の請求項１ないし請求項６に係る発明（以下「本願各発明」という。）は、平成１３年８月２７日付け及び平成１５年１０月１４日付け手続補正書により補正された明細書及び図面の記載からみて、その特許請求の範囲の請求項１ないし６に記載された次のとおりのものである。
　
　「【請求項１】　入力信号の周波数帯域を複数の帯域に分割する複数の周波数帯域分割手段と、
　それぞれの周波数帯域分割手段に対応した選択パターンを有し、上記複数の周波数帯域分割手段の出力信号のうち、前記選択パターンで選択されたデータに基づいて各クラス分類情報信号を出力する複数のクラス分類手段と、
　予め学習により獲得されたクラス毎の適応フィルタ係数を格納する適応フィルタ係数記憶手段と、
　上記適応フィルタ係数記憶手段から上記各クラス分類情報信号に対応して供給された適応フィルタ係数を用いて、上記周波数帯域分割手段により周波数帯域が分割された入力信号に適応フィルタ処理をそれぞれ施す複数の適応フィルタ手段と
　を有することを特徴とする信号処理装置。
　【請求項２】　上記クラス分類手段は、適応ダイナミックレンジ符号化手段であることを特徴とする請求項１記載の信号処理装置。
　【請求項３】　上記入力信号は、動画信号であることを特徴とする請求項１記載の信号処理装置。
　【請求項４】　上記入力信号は、多重サブサンプリングエンコード方式のデコーダにおける動画信号であることを特徴とする請求項１記載の信号処理装置。
　【請求項５】　入力信号の周波数帯域を複数の帯域に分割する複数の周波数帯域分割工程と、
　それぞれの周波数帯域分割工程に対応した選択パターンを有し、上記複数の周波数帯域分割工程の出力信号のうち、前記選択パターンで選択されたデータに基づいて各クラス分類情報信号を出力する複数のクラス分類工程と、
　予め学習により獲得されたクラス毎の適応フィルタ係数が格納された適応フィルタ係数記憶手段から上記各クラス分類情報信号に対応して供給された適応フィルタ係数を用いて、上記周波数帯域分割工程により周波数帯域が分割された入力信号に適応フィルタ処理をそれぞれ施す複数の適応フィルタ工程と
　を有することを特徴とする信号処理方法。
　【請求項６】　上記クラス分類工程は、適応ダイナミックレンジ符号化処理を用いて上記クラス分類情報信号を出力することを特徴とする請求項５記載の信号処理方法。」
　
３．当審の判断
（１）本願各発明（請求項１から請求項６までに係る発明）の主要構成
　査定で引用された各刊行物のいずれにも、本願各発明が備える下記の主要構成は記載されていない。また、これら各刊行物を組み合わせても、同主要構成を導くことはできない。
　
　　　　　　　　　記（本願各発明が備える主要構成）
　「それぞれの周波数帯域分割手段に対応した選択パターンを有し、上記複数の周波数帯域分割手段の出力信号のうち、前記選択パターンで選択されたデータに基づいて各クラス分類情報信号を出力」し、「上記各クラス分類情報信号に対応して供給された適応フィルタ係数を用いて、上記周波数帯域分割手段により周波数帯域が分割された入力信号に適応フィルタ処理をそれぞれ施す」こと。
　
　そして、本願各発明の上記主要構成は、「扱う信号の周波数帯域が違うことにより信号変化の特性が全く異なった信号に対しても、クラス分類に応じた適応処理を有効に動作させる」（段落【０００７】）という課題に鑑み採用したものと認められ、
　本願各発明は、上記主要構成を採用することにより、「扱う信号の周波数帯域が違うことにより信号の変化の特性が全く異なった信号に対しても、高精度のクラス分類適応処理を施すことができる。」（段落【００３９】）等の明細書記載の顕著な効果を奏するものと認められる。
　
　以上によれば、本願各発明は、査定で引用された各刊行物に記載された発明に基づいて当業者が容易に発明をすることができたものである、とすることはできない。
　
（２）引用刊行物の記載等
　各刊行物の記載について見ておく。
　
（２−１）刊行物１
　（ａ）刊行物１（特開平５−３２８１８５号公報）には、「ディジタルデータ変換装置および方法」（発明の名称）に関し、図面と共に次に掲げる事項ア、イが記載されている。
　　　ア　「複数の入力データを解析し、上記複数の入力データの分布状態に応じてクラスタリングする手段と、
　上記複数の入力データと既知の出力データとからクラス毎の出力データに関連するクラスデータを発生する発生手段と、
　上記クラスデータを上記クラスに対応するアドレスに格納するメモリ手段と、
　複数の入力データに基づいてクラスタリングされたクラス情報に対応するアドレスのクラスデータを上記メモリ手段から読み出すための読み出し手段と、
　上記読み出し手段の出力クラスデータに基づいて出力データを発生する出力データ発生手段とを有するディジタルデータ変換装置。」（特許請求の範囲第１項）
　　　イ　「【産業上の利用分野】この発明は、データ圧縮における間引き画素の補間、標準解像度のテレビジョン信号を高解像度のテレビジョン信号に変換するアップコンバージョン等に適用可能なディジタルデータの変換装置および方法に関する。」（段落【０００１】）
　（ｂ）上記記載によれば、刊行物１には、複数の入力画像データの分布状態に応じてクラス分類し、そのクラスに応じたクラスデータに基づいて、入力画像データを高解像度の画像信号にアップコンバージョンすることが記載されている。
　
（２−２）刊行物２
　（ａ）刊行物２（特開平３−２０９９８８号公報）には、「符号化装置」（発明の名称）に関し、図面と共に次に掲げる事項ウが記載されている。
　　ウ　「（１）標本化周波数ｆｓで標本化された信号を、標本化周波数がｆｓ／ｎ（ｎは整数）に変換された複数個の周波数帯域の信号に分割して符号化するにあたり、分割された上記各々の周波数帯域の信号に対して帯域制限を行なうフィルタ手段と、上記各々の周波数帯域の信号を符号化する符号化手段と、上記符号化手段で発生するデータ量を上記フィルタ手段により制御する制御手段とを有することを特徴とする符号化装置。」（特許請求の範囲第１項）
　（ｂ）上記記載によれば、刊行物２には、複数個の周波数帯域の信号に分割した後、各周波数帯域毎の信号を、符号化する前にファイル手段により帯域制限して、各々の周波数帯域における符号化によって発生するデータ量を制御することが記載されている。
　
（２−３）刊行物３
　（ａ）刊行物３（特開平６−４６３９４号公報）には、「画像信号符号化装置」（発明の名称）に関し、図面と共に次に掲げる事項エが記載されている。
　　エ　「入力画像信号を濾波して周波数帯域の分割を行ない、分割された前記画像信号に対し周波数帯域別の独立した符号化を施して得られるデータを一定長に分割してセルを構成し、前記周波数帯域別に構成されたセルを多重化して可変レートで画像伝送を行なう画像信号符号化装置において、過去一定期間の総発生情報量を求める手段と、過去一定期間の総符号化画素数に対する各周波数帯域毎の符号化画素数の割合を算出する手段と、各周波数帯域毎にセル伝送を制限する手段とを具備し、過去一定期間の総発生情報量がある閾値を越えた場合に、前記割合の少ない周波数帯域から優先的に伝送セル数を制限することを特徴とする画像信号符号化装置。」（特許請求の範囲第１項）
　（ｂ）上記記載によれば、刊行物３には、入力画像信号を濾波して周波数帯域の分割を行ない、周波数帯域毎に独立した符号化とセルの構成を行ない、全帯域のセルを多重化して可変レートで画像伝送を行なう画像信号符号化装置において、過去一定期間に符号化による総発生情報量がある閾値を超過したときには、送信情報量を削減することが記載されている。
　
（２−４）刊行物４
　（ａ）刊行物４（特開平６−８６２４９号公報）には、「映像デジタル伝送方式とその送受信装置」（発明の名称）に関し、図面と共に次に掲げる事項オが記載されている。
　　オ　「入力端子１０１に入力された高解像度映像信号は、サブバンド分割回路１０２により高域成分と低域成分（映像信号として重要な情報を多く含んでおり、在来受信機の処理能力の範囲の信号）の２つのサブバンド信号に帯域分割される。分割された２つのサブバンド信号は、それぞれ高域成分符号化回路１０４と低域成分符号化回路１０５に供給され符号化され、高域符号化信号と低域符号化信号となる。また高域のサブバンド信号は、エッジ情報抽出回路１０３にも入力されここでエッジ情報が抽出される。高域及び低域符号化回路１０４、１０５からの出力された高域符号化信号と低域符号化信号は、多重化回路１０６に入力され、エッジ情報抽出回路１０３からのエッジ情報と共に多重化される。多重化回路１０６で得られた多重化信号は、伝送路１０７に送出される。」（段落【００１３】）
　（ｂ）上記記載によれば、刊行物４には、高解像度映像信号は、高域成分と低域成分の２つのサブバンド信号に帯域分割され、分割された２つのサブバンド信号は、それぞれ符号化され、また高域のサブバンド信号は、エッジ情報が抽出され、高域符号化信号と低域符号化信号と共に多重化され、伝送されることが記載されている。
　
（２−４）まとめ
　以上のように、刊行物１〜刊行物４までのものは、いずれも、本願各発明のように、クラス分類を、周波数帯域毎に周波数帯域分割手段に対応した選択パターンで選択されたデータに基づいて行うものではなく、また、周波数帯域毎にそのクラス分類に対応する適応フィルタ処理を行うものでもなく、上記主要構成を示唆するものではない。
　
４．むすび
　以上のとおりであるから、本願の請求項１から請求項６までに係る発明は上記各刊行物に記載された発明に基づいて当業者が容易に発明をすることができたものである、という原査定の理由によっては本願を拒絶することはできない。
　
　また、他に本願を拒絶すべき理由を発見しない。
　
　よって、結論のとおり審決する。